(57)【要約】【課題】ロック状態の解除もしくは設定に要する操作を簡便化しつつ容易に解除されにくいよう構成し、利便性を向上させることが可能なリモコン装置を提供することを目的とする。【解決手段】機器の遠隔制御を行うために操作される操作パネル２０と、操作パネル２０を覆うように設けられ、開閉自在な蓋体２２と、蓋体２２によって覆われない部位に配置され、操作パネル２０の操作が有効となる状態と操作パネル２０の操作が無効となる状態とを切り換えるために用いられるチャイルドロックスイッチ１８とを備える。蓋体２２の開閉を検知する検知手段として、蓋体２２の裏面に設置されたマグネット２６と操作パネル２０に組み込まれたホールＩＣ２８を備える。ロック状態において、チャイルドロックスイッチ１８の操作中に蓋体２２が開いたことが検知された場合に、ロック状態を解除する。【選択図】図１
2011089713.tif 000002
【特許請求の範囲】
【請求項１】
機器の遠隔制御を行うために操作される操作パネルと、
前記操作パネルを覆うように設けられ、開閉自在な蓋体と、
前記蓋体によって覆われない部位に配置され、前記操作パネルの操作が有効となる状態と前記操作パネルの操作が無効となる状態とを切り換えるために用いられるロックスイッチと、
前記蓋体の開閉を検知する検知手段と、
前記ロック状態において、前記ロックスイッチの操作中に前記蓋体が開いたことが検知された場合に、前記ロック状態を解除するロック状態解除手段と、
を備えることを特徴とするリモコン装置。
【請求項２】
前記ロックスイッチが所定時間に渡って連続して操作された場合に前記操作パネルを前記ロック状態に設定するロック状態設定手段を更に備えることを特徴とする請求項１記載のリモコン装置。
【請求項３】
機器の遠隔制御を行うために操作される操作パネルと、
前記操作パネルを覆うように設けられ、開閉自在な蓋体と、
前記蓋体によって覆われない部位に配置され、前記操作パネルの操作が有効となる非ロック状態と前記操作パネルの操作が無効となるロック状態とを切り換えるために用いられるロックスイッチと、
前記蓋体の開閉を検知する検知手段と、
前記非ロック状態において、前記ロックスイッチの操作中に前記蓋体が閉じたことが検知された場合に、前記操作パネルを前記ロック状態に設定するロック状態設定手段と、
を備えることを特徴とするリモコン装置。
【請求項４】
前記ロックスイッチが所定時間に渡って連続して操作された場合に前記ロック状態を解除するロック状態解除手段を更に備えることを特徴とする請求項３記載のリモコン装置。
【請求項５】
機器の遠隔制御を行うために操作される操作パネルと、
前記操作パネルを覆うように設けられ、開閉自在な蓋体と、
前記蓋体によって覆われない部位に配置され、前記操作パネルの操作が有効となる非ロック状態と前記操作パネルの操作が無効となるロック状態とを切り換えるために用いられるロックスイッチと、
前記蓋体の開閉を検知する検知手段と、
前記ロックスイッチが所定時間に渡って連続して操作された場合に前記操作パネルを前記ロック状態に設定し、前記ロック状態において前記ロックスイッチの操作中に前記蓋体が開いたことが検知された場合に前記ロック状態を解除する第１ロック制御手段と、
前記非ロック状態において前記ロックスイッチの操作中に前記蓋体が閉じたことが検知された場合に前記操作パネルを前記ロック状態に設定し、前記ロックスイッチが所定時間に渡って連続して操作された場合に前記ロック状態を解除する第２ロック制御手段と、
前記第１ロック制御手段と前記第２ロック制御手段との間で、前記ロック状態の設定および解除を行う手段を切り替えるロック態様切替手段と、
を備えることを特徴とするリモコン装置。
【発明の詳細な説明】
【技術分野】
【０００１】
この発明は、チャイルドロック機能を備えるリモコン装置に関する。
【背景技術】
【０００２】
従来のチャイルドロック機能を有するリモコン装置は、操作パネルに機器を遠隔操作するための操作スイッチとチャイルドロックスイッチとを有し、操作スイッチの操作で機器の運転状態や各種設定の切り替えを可能としている。また、上記リモコン装置では、チャイルドロックスイッチを所定時間以上連続して操作すると、操作スイッチの入力を無効とするロック状態が設定されるようになっている。そして、このロック状態のときに、チャイルドロック状態の設定時と同じ時間で連続してチャイルドロックスイッチを操作するか、もしくはチャイルドロックスイッチと他のスイッチとを同時に所定時間に渡って連続して操作すると、ロック状態が解除されるようになっている（例えば、特許文献１参照）。
【０００３】
上記のように、チャイルドロックスイッチの長時間操作といった特殊な操作をしなければ、ロック状態の設定、解除ができないようにすることで、ロック状態に設定する必要がないときに、誤ってロック状態に設定してしまうことを防止し、またロック状態を必要とするときに、幼児のいたずらにより容易に解除してしまうことがないようにしている。
【先行技術文献】
【特許文献】
【０００４】
【特許文献１】特開２００５−１５６０６５号公報
【発明の概要】
【発明が解決しようとする課題】
【０００５】
上記従来のリモコン装置は、チャイルドロック機能の解除を行う際に、チャイルドロックスイッチもしくは複数スイッチの同時操作を長時間操作するという煩わしい操作が必要であり、使い勝手が良いとは言えない。一方、ロック状態の解除に要する連続操作時間を短く設定すると、幼児のいたずらにより容易に解除されてしまう可能性が高くなる。
【０００６】
この発明は、上述のような課題を解決するためになされたもので、ロック状態の解除もしくは設定に要する操作を簡便化しつつ容易に解除されにくいよう構成し、利便性を向上させることが可能なリモコン装置を提供することを目的とする。
【課題を解決するための手段】
【０００７】
この発明に係るリモコン装置は、機器の遠隔制御を行うために操作される操作パネルと、前記操作パネルを覆うように設けられ、開閉自在な蓋体と、前記蓋体によって覆われない部位に配置され、前記操作パネルの操作が有効となる状態と前記操作パネルの操作が無効となる状態とを切り換えるために用いられるロックスイッチと、前記蓋体の開閉を検知する検知手段と、前記ロック状態において、前記ロックスイッチの操作中に前記蓋体が開いたことが検知された場合に、前記ロック状態を解除するロック状態解除手段と、を備えるものである。
【０００８】
また、この発明に係るリモコン装置は、機器の遠隔制御を行うために操作される操作パネルと、前記操作パネルを覆うように設けられ、開閉自在な蓋体と、前記蓋体によって覆われない部位に配置され、前記操作パネルの操作が有効となる非ロック状態と前記操作パネルの操作が無効となるロック状態とを切り換えるために用いられるロックスイッチと、前記蓋体の開閉を検知する検知手段と、前記非ロック状態において、前記ロックスイッチの操作中に前記蓋体が閉じたことが検知された場合に、前記操作パネルを前記ロック状態に設定するロック状態設定手段と、を備えるものである。
【発明の効果】
【０００９】
この発明によれば、ロック状態の解除もしくは設定に要する操作を簡便化しつつ容易に解除されにくいよう構成することができ、これにより、利便性を向上させることが可能となる。
【図面の簡単な説明】
【００１０】
【図１】本発明の実施の形態１のリモコン装置の外観図（Ａ）、（Ｂ）である。
【図２】図１に示すリモコン装置のブロック図である。
【図３】本発明の実施の形態１における動作フローを示すフローチャートである。
【図４】本発明の実施の形態２における動作フローを示すフローチャートである。
【発明を実施するための形態】
【００１１】
この発明を実施するための形態について添付の図面に従って説明する。尚、各図において、同一又は相当する部分には同一の符号を付してその説明を適宜に簡略化ないし省略する。
【００１２】
実施の形態１．
以下、本発明のリモコン装置を、台所などに配置される給湯機用リモコン装置に適用した例について説明する。図１は、本発明の実施の形態１のリモコン装置１０の外観図である。より具体的には、図１（Ａ）および図１（Ｂ）は、それぞれ、蓋体２２が開いた状態におけるリモコン装置１０の正面図および側面図である。図２は、図１に示すリモコン装置１０のブロック図である。
【００１３】
図１に示すように、実施の形態１におけるリモコン装置１０には、制御対象機器である給湯機の設定状態を表示するための表示部１２が設けられている。表示部１２の周辺には、メインスイッチであるふろ自動スイッチ１４、浴室使用者と通話を行う際に用いる通話スイッチ１６、および、チャイルドロック（すなわち、操作パネル２０の操作が無効となるロック状態）の設定およびその解除を行うためのチャイルドロックスイッチ１８がそれぞれ配置されている。
【００１４】
リモコン装置１０には、更に、給湯機の各種の詳細設定を行うための複数の操作スイッチを有する操作パネル２０が設けられている。また、リモコン装置１０には、操作パネル２０を覆うための開閉自在な蓋体２２が取り付けられている。尚、ふろ自動スイッチ１４、通話スイッチ１６、およびチャイルドロックスイッチ１８は、頻繁に使用されるスイッチであって、幼児のいたずら等の誤操作においても危険や不具合に至らないスイッチであるので、蓋体２２によって覆われない部位に配置されている。
【００１５】
図２に示すように、リモコン装置１０は、その内部に制御部２４を備えている。制御部２４は、ふろ自動スイッチ１４等の蓋体２２に覆われていないスイッチ類と操作パネル２０上の各スイッチからの入力信号に基づいて給湯機の動作制御を行うものである。
【００１６】
また、図１に示すように、蓋体２２の裏面には、マグネット２６が取り付けられている。操作パネル２０には、蓋体２２を閉めた状態においてマグネット２６と対向する場所に、磁力感知によるＯＮ-ＯＦＦ検知が可能なホールＩＣ２８が組み込まれている。蓋体２２が閉められている状態では、マグネット２６とホールＩＣ２８とが対向する位置に近接して検知ＯＮ状態となる。このため、リモコン装置１０は、蓋体２２が閉まっていることを検知することができる。一方、蓋体２２が開いている状態では、マグネット２６とホールＩＣ２８とは近接していない状態となるので検知ＯＦＦ状態となる。このため、リモコン装置１０は、蓋体２２が開いていることを検知することができる。
【００１７】
制御部２４は、給湯機の動作制御に加え、操作パネル２０の操作入力を無効とするチャイルドロック状態の設定処理および設定解除処理を行うものである。本実施形態のリモコン装置１０は、そのようなチャイルドロック状態の設定およびその解除の手法に特徴を有している。
【００１８】
具体的には、制御部２４は、チャイルドロック設定状態でない非ロック状態においてチャイルドロックスイッチ１８が連続操作（例えば３秒間の連続操作）された場合に、操作パネル２０をチャイルドロック状態に設定し、操作パネル２０内のスイッチ操作の入力信号を無効とする。また、制御部２４は、チャイルドロック状態であって操作パネル２０を覆う蓋体２２が閉められている状態（開閉検知ＯＮ状態）において、チャイルドロックスイッチ１８が操作されながら蓋体２２を開ける動作が行われた場合に、チャイルドロック状態の解除を行う。
【００１９】
図３は、本発明の実施の形態１における動作フローを示すフローチャートである。図３に示す動作フローでは、先ず、ステップＳ１にて、チャイルドロック状態か否かが判断される。ステップＳ１にてチャイルドロック状態でないと判断された場合（ＮＯ）、ステップＳ２にて、チャイルドロックスイッチ１８の連続操作条件（例えば３秒以上連続操作）が成立しているか否かが判断される。この条件が成立している場合（ＹＥＳ）、ステップＳ３にて、操作パネル２０がチャイルドロック状態に設定される。これにより、操作パネル２０上の各スイッチによる操作入力が無効となる。また、この場合には、ステップＳ４にて、表示部１２にロック状態表示を点灯させる処理が行われ、ユーザにロック状態であることが知らされる。
【００２０】
一方、ステップＳ１においてチャイルドロック状態にあると判断された場合（ＹＥＳ）、ステップＳ５にて、蓋体２２が閉じているか否かがホールＩＣ２８等の開閉検知機能を用いて判断される。その結果、蓋体２２が閉まっている状態（つまり、ホールＩＣ２８がＯＮ状態）であると判断された場合（ＹＥＳ）、以下のステップＳ６、Ｓ７の処理によりチャイルドロックの解除操作が可能となる。
【００２１】
すなわち、ステップＳ５にて蓋体２２が閉まっている状態であると判断された場合（ＹＥＳ）、ステップＳ６にて、チャイルドロックスイッチ１８の操作ＯＮ中に、ＯＮ状態からＯＦＦ状態へのホールＩＣ２８の切り替えが検知されたか否かが判断される。その結果、これらの条件が成立している場合（ＹＥＳ）、ステップＳ７にて、チャイルドロック状態が解除される。これにより、操作パネル２０上の各スイッチによる操作入力が有効となる非ロック状態となる。また、この場合には、ステップＳ８にて、表示部１２に表示されているロック状態表示を消灯させる処理が行われ、ユーザにロック状態が解除されたことが知らされる。
【００２２】
以上説明したように、本実施の形態１のリモコン装置１０は、チャイルドロックスイッチ１８とともに蓋体２２の開閉検知機能を有している。そして、本実施形態では、チャイルドロックスイッチ１８の連続操作によって、チャイルドロック状態に設定され、一方、チャイルドロックスイッチ１８の操作と蓋体２２の開操作とを同時に行うことによって、チャイルドロック状態の解除が行われる。
【００２３】
チャイルドロック状態の解除には、幼児のいたずらによりロック状態が容易に解除されないようにするために解除操作の特殊性を維持しつつ、解除操作の煩わしさを低減させることが重要である。上述した本実施形態の手法によれば、ロック状態の設定とロック状態の解除設定に関して異なる設定方法を用いることにより解除操作の特殊性を損なうことがないようにしつつ、ロック状態を解除する場合の連続操作時間が無くなるので解除操作の煩わしさを軽減させることができ、これにより、利便性を向上することができる。
【００２４】
尚、上述した実施の形態１においては、チャイルドロックスイッチ１８が前記第１の発明における「ロックスイッチ」に相当している。制御部２４が、上記Ｓ５またはＳ６の処理を実行することにより前記第１の発明における「検知手段」が、上記Ｓ５〜Ｓ７の処理を実行することにより前記第１の発明における「ロック状態解除手段」が、それぞれ実現されている。また、制御部２４が上記ステップＳ２およびＳ３の処理を実行することにより前記第２の発明における「ロック状態設定手段」が実現されている。
【００２５】
実施の形態２．
次に、図４を参照して、本発明の実施の形態２について説明する。実施の形態２におけるリモコン装置は、以下の点を除き、上述した実施の形態１のリモコン装置１０と同様に構成されている。以下、本実施形態のリモコン装置についても、実施の形態１のリモコン装置１０と同一の参照符号を付して説明を行う。
【００２６】
本実施形態のリモコン装置１０は、チャイルドロック状態の設定およびその解除の手法において実施の形態１のリモコン装置１０と相違している。具体的には、本実施形態では、制御部２４は、チャイルドロック設定状態でない非ロック状態であって操作パネル２０を覆う蓋体２２が開けられている状態（開閉検知ＯＦＦ）において、チャイルドロックスイッチ１８が操作されながら蓋体２２を閉める動作が行われた場合に、操作パネル２０をチャイルドロック状態に設定し、操作パネル２０内のスイッチ操作の入力信号を無効とする。また、制御部２４は、チャイルドロック状態においてチャイルドロックスイッチ１８が連続操作（例えば３秒間の連続操作）された場合、チャイルドロック状態の解除を行う。
【００２７】
図４は、本発明の実施の形態２における動作フローを示すフローチャートである。図４に示す動作フローでは、先ず、ステップＳ１１にて、チャイルドロック状態か否かが判断される。ステップＳ１１にてチャイルドロック状態であると判断された場合（ＹＥＳ）、ステップＳ１２にて、チャイルドロックスイッチ１８の連続操作条件（例えば３秒以上連続操作）が成立しているか否かが判断される。この条件が成立している場合（ＹＥＳ）、ステップＳ１３にて、チャイルドロック状態が解除される。また、この場合には、ステップＳ１４にて、表示部１２に表示されているロック状態表示を消灯させる処理が行われ、ユーザにロック状態が解除されたことが知らされる。
【００２８】
一方、ステップＳ１１においてチャイルドロック状態でないと判断された場合（ＮＯ）、ステップＳ１５にて、蓋体２２が開いているか否かがホールＩＣ２８等の開閉検知機能を用いて判断される。その結果、蓋体２２が開いている状態（つまり、ホールＩＣ２８がＯＦＦ状態）であると判断された場合（ＹＥＳ）、以下のステップＳ１６、Ｓ１７の処理によりチャイルドロックの操作が可能となる。
【００２９】
すなわち、ステップＳ１５にて蓋体２２が開いている状態であると判断された場合（ＹＥＳ）、ステップＳ１６にて、チャイルドロックスイッチ１８の操作ＯＮ中に、ＯＦＦ状態からＯＮ状態へのホールＩＣ２８の切り替えが検知されたか否かが判断される。その結果、これらの条件が成立している場合（ＹＥＳ）、ステップＳ１７にて、操作パネル２０がチャイルドロック状態に設定される。これにより、操作パネル２０上のスイッチによる操作入力が無効となる。また、この場合には、ステップＳ１８にて、表示部１２にロック状態表示を点灯させる処理が行われ、ユーザにロック状態であることが知らされる。
【００３０】
以上説明したように、本実施の形態２のリモコン装置１０は、チャイルドロックスイッチ１８とともに蓋体２２の開閉検知機能を有している。そして、本実施形態では、チャイルドロックスイッチ１８の操作と蓋体２２の閉操作とを同時に行うことによって、チャイルドロック状態に設定され、一方、チャイルドロックスイッチ１８の連続操作によって、チャイルドロック状態の解除が行われる。このような本実施形態の手法によれば、ロック状態の設定とロック状態の解除設定に関して異なる設定方法を用いることによりロック設定操作の特殊性を損なうことがないようにしつつ、ロック状態に設定する場合の連続操作時間が無くなるのでロック設定操作の煩わしさを軽減させることができ、これにより、利便性を向上することができる。
【００３１】
尚、上述した実施の形態２においては、制御部２４が、上記Ｓ１５またはＳ１６の処理を実行することにより前記第３の発明における「検知手段」が、上記Ｓ１５〜Ｓ１７の処理を実行することにより前記第３の発明における「ロック状態設定手段」が、それぞれ実現されている。また、制御部２４が上記ステップＳ１２およびＳ１３の処理を実行することにより前記第４の発明における「ロック状態解除手段」が実現されている。
【００３２】
実施の形態３．
上述した実施の形態１におけるチャイルドロック状態の設定およびその解除の手法（図３の動作フロー参照）と、上述した実施の形態２におけるチャイルドロック状態の設定およびその解除の手法（図４の動作フロー参照）の両方を実行可能な制御部を備え、かつ、これらの２つの手法をユーザが任意に選択可能とするロック態様切替手段を備えるように構成してもよい。
【００３３】
尚、上記のようなロック態様切替手段は、例えば、操作パネル２０上に、ユーザの操作によって上記２つの手法を切り替えるための切り替えスイッチ（図示省略）として備えておくことにより実現することができる。また、本実施の形態の制御部が、上記図３に示す動作フローの一連の処理を実行することにより前記第５の発明における「第１ロック制御手段」を、上記図４に示す動作フローの一連の処理を実行することにより前記第５の発明における「第２ロック制御手段」を、それぞれ実現することができる。
【符号の説明】
【００３４】
１０  リモコン装置
１２  表示部
１４  ふろ自動スイッチ
１６  通話スイッチ
１８  チャイルドロックスイッチ
２０  操作パネル
２２  蓋体
２４  制御部
２６  マグネット
２８  ホールＩＣ
【図１】
2011089713.tif 000003
【図２】
2011089713.tif 000004
【図３】
2011089713.tif 000005
【図４】
2011089713.tif 000006